(57)【要約】      （修正有）【課題】圧縮機で発生する騒音が外部へ漏れることを、コストを抑えつつ効果的に抑制する空気調和機の室外機を提供する。【解決手段】防音筐体１の内壁面３面には熱交換器７の配置に対応するよう吸音材６が配置されている。熱交換器７の配置に対応する室外機の筐体前面以外は吸込口であり、吸込口では通気性を高める反面、防音性が低くなるため、吸音材６を、熱交換器７の配置に対応する防音筐体１の内壁面３面に配置して、室外機外部へ吸込口を介して騒音が漏れることを抑制している。一方、室外機の前面パネル２０側は、防音筐体１の前板１ｄと前面パネル２０が配置されているため、圧縮機２で発生した騒音は防音筐体１の前板１ｄで遮られて減衰し、さらに前面パネル２０でも遮られて減衰することによって騒音レベルが小さく抑えられるため、吸音材６を防音筐体１の内壁前面に配置する必要がない。【選択図】図２
2011112323.tif 000002
【特許請求の範囲】
【請求項１】
熱交換器と、圧縮機と、送風ファンとを内部に備え、且つ前記圧縮機及び前記オイルセパレータを防音筐体で覆った空気調和機の室外機において、
前記室外機の筐体側面は、外気を同室外機内へ取り込むための吸込口と、パネルとを備えており、
前記吸込口の配置に対応させて前記防音筐体の内壁面に吸音材を配置したことを特徴とする空気調和機の室外機。
【請求項２】
熱交換器と、圧縮機と、送風ファンとを内部に備え、且つ前記圧縮機及び前記オイルセパレータを防音筐体で覆った空気調和機の室外機において、
前記室外機の筐体側面は、外気を同室外機内へ取り込むための吸込口と、パネルとを備えており、
前記パネルと面する前記防音筐体の内壁面には吸音材を配置しないことを特徴とする空気調和機の室外機。
【発明の詳細な説明】
【技術分野】
【０００１】
本発明は、空気調和機の室外機に係り、特に、室外機内部で発生する騒音が、室外機内部から室外機外部へ漏れることを抑制することができる空気調和機の室外機に関する。
【背景技術】
【０００２】
従来、空気調和機の室外機には、内部に圧縮機や熱交換器及び送風ファン等が設置されており、この中で特に圧縮機は大きな騒音を発生するため防音対策が必要となる。防音対策の方法としては、室外機内部を、圧縮機等を配置する機械室と、熱交換器や送風ファン等を配置する熱交換器室とを区画する隔壁を設けて、圧縮機で発生する騒音が室外機外部に漏れないようにすることが提案されている（例えば、特許文献１）。
【０００３】
特許文献１に開示されているのは、圧縮機等を配置する機械室と、熱交換器や送風ファン等を配置する熱交換器室とを内部に有する室外機において、機械室と熱交換器室とを区画する隔壁が、複数枚の板材を機械室の枠体から懸架してコ字状に構成されているものであり、板材を吸音性部材で形成、あるいは、板材の表面を吸音部材で覆うことによって、圧縮機で発生する騒音が室外機外部に漏れることを防止し、且つ機械室に設置されている圧縮機等のメンテナンスを行なう際に、メンテナンス箇所に対応する板材のみ取り外して作業が行なえるため、メンテナンス作業性を向上させている。
【０００４】
しかしながら、特許文献１では機械室と熱交換器室とを区画する隔壁をコ字状に構成しているため、隔壁の一部が開いている状態であり、この開いた部分が、熱交換器の配置がされていない室外機の前面パネルに面するよう配置されている。従って、圧縮機で発生した騒音に対し室外機の前面は前面パネルしか遮音するものがなく、騒音が室外機の前面から室外機外部へ漏れることを十分に抑制することができないという問題があった。
【０００５】
このような問題に対する対処方法としては、機械室の前面を覆うように吸音材を配置して騒音を抑制することが考えられる。しかしながら、機械室の前面には上述したように隔壁がないため吸音材は室外機の前面パネルに貼り付ける等して配置することになるため、隔壁の開いている箇所を覆うように吸音材を配置することが困難であるという問題があった。
【先行技術文献】
【特許文献】
【０００６】
【特許文献１】特開２００７−１００９８５号公報（第５〜６頁、第８図及び第９図）
【発明の概要】
【発明が解決しようとする課題】
【０００７】
本発明は以上述べた問題点を解決し、圧縮機で発生する騒音が外部へ漏れることを、コストを抑えつつ効果的に抑制する空気調和機の室外機を提供することを目的とする。
【課題を解決するための手段】
【０００８】
本発明は上述の課題を解決するものであって、本発明による空気調和機の室外機は、熱交換器、圧縮機、送風ファンとを内部に備え、圧縮機を防音筐体内に配置したものであり、室外機の筐体側面は、外気を同室外機内へ取り込むための吸込口と、通気性のないパネルとを備えている。そして、吸込口の配置に対応して防音筐体内壁に吸音材を配置し、パネルの配置に対応した防音筐体内壁には吸音材を配置しないものである。
【発明の効果】
【０００９】
本発明の空気調和機の室外機は、圧縮機を防音筐体内に配置しており、防音筐体の四方に隔壁が存在するので、室外機の熱交換器が配置されていない面に対しては防音筐体の隔壁と室外機のパネルとが防音壁として作用するため、室外機のパネルに面する防音筐体内壁に吸音材を配置する必要がなくコストを抑えることができ、且つ室外機内部から室外機外部への騒音の漏れを抑制することができる。
【図面の簡単な説明】
【００１０】
【図１】本発明の第１の実施例である室外機の説明図であり、（Ａ）は室外機の外観斜視図、（Ｂ）は前面パネルを取り外した正面図である。
【図２】図１（Ａ）におけるＡ−Ａ断面図であり、防音筐体や圧縮機及び吸音材等の配置説明図である。
【発明を実施するための形態】
【００１１】
以下、本発明の実施の形態を、添付図面に基づいて詳細に説明する。尚、実施例としては、上部に吹出口を備えた大型室外機を例に挙げて説明する。尚、本発明は以下の実施形態に限定されることはなく、本発明の主旨を逸脱しない範囲で種々変形することができる。
【実施例】
【００１２】
図１は、第１の実施例である室外機の説明図であり、（Ａ）は外観斜視図、（Ｂ）は前面パネルを取り外した図である。また、図２は図１（Ａ）におけるＡ−Ａ断面図であり、防音筐体や圧縮機及び吸音材等の配置説明図である。
【００１３】
図１（Ａ）に示すように、室外機１００は、その右側面全面（及び図示は省略するが左側面全面と背面全面）に渡り吸込口４０が、前面には前面パネル２０がそれぞれ設けられ、上面には送風ファンやグリルを備えた吹出口３０が設けられている。また、図２に示すように、室外機１００の内壁の左右側面と背面には、吸込口４０に対応して熱交換器７が縦配置されている。尚、本実施例の説明においては、室外機１００の左側内壁面に対応する位置は左側面熱交部７ａ、室外機１００の右側内壁面に対応する位置は右側面熱交部７ｂ、室外機１００の内壁背面に対応する位置には背面熱交部７ｃ、とする。また、「左右」は、図２において前面パネル２０を正面視した際の方向である。
【００１４】
また、図１（Ｂ）に示すように、室外機１００の内部には、図示しない制御基板や電源基板等の回路基板及びこれらを接続するコード等を収納し、前面に放熱部１０ａを備えた電装品箱１０や、図２に示すように、内部に圧縮機２やアキュムレータ３、オイルセパレータ４等を収納し、これらから発生する騒音を遮音する防音筐体１が配置されている。尚、これら以外に室外機１００の内部には、冷媒配管や各種弁類、送風ファンを回転するモータ等が配置されているが、本発明と直接関係がないため説明は省略する。
【００１５】
防音筐体１は、所定の形状にプレス成形された板金からなる複数の部品を組み合せて箱型に形成されており、室外機１００の底板１０１上に設けられている。図２に示すように、防音筐体１内に配置されている圧縮機２及びアキュムレータ３は、その筐体を覆うように吸音材６が巻装されている。
【００１６】
オイルセパレータ４は、冷媒中に混入した圧縮機の潤滑油を冷媒から分離するために設置されているものであり、圧縮機２と吐出管５で接続されている。圧縮機２から吐出された冷媒は、混入している潤滑油がオイルセパレータ４で分離されて圧縮機２に戻される。尚、オイルセパレータ４は防音筐体１の内壁背面１ｃに防振材を介して取り付けられている。
【００１７】
図２に示すように、防音筐体１の内壁面３面には熱交換器７の配置に対応するよう吸音材６が配置されており、具体的には、左側面熱交部７ａに対応する内壁左側面１ａ、右側面熱交部７ｂに対応する内壁右側面１ｂ、背面熱交部７ｃに対応する内壁背面１ｃ、に吸音材６が配置されている。熱交換器７の左側熱交部７ａ、右側熱交部７ｂ及び背面熱交部７ｃに面する室外機１００の筐体左右側面及び背面は吸込口４０である。吸込口４０は、開口度の大きいネットやグリルで構成され、吸込口４０から取り入れた空気を、熱交換器７で冷媒と熱交換して吹出口４０から室外機１００外へ排出するようになっている。従って、吸音材６を、熱交換器７の配置に対応する防音筐体１の内壁面３面に配置して、室外機１００外部へ吸込口４０を介して騒音が漏れることを抑制している。
【００１８】
一方、室外機１００の前面パネル２０側は、防音筐体１の前板１ｄと前面パネル２０が配置されているため、二重に防音壁が存在することとなる。従って、圧縮機２で発生した騒音は防音筐体１の前板１ｄで遮られて減衰し、さらに前面パネル２０でも遮られて減衰することによって騒音レベルが小さく抑えられるため、吸音材６を防音筐体１の内壁前面に配置せずとも騒音が室外機１００前面へ漏れだすことを抑制することができる。
【００１９】
以上説明した実施例では、熱交換器７が室外機１００の前面以外の３面（左右側面及び背面）に配置されている場合について説明したが、例えば、熱交換器が背面と右側面に配置されている場合、室外機１００の筐体背面と右側面とが吸込口、これ以外の左側面と前面は、開口部（貫通孔やネット等）が少ないパネルであるため、防音筐体の内壁背面と内壁右側面に吸音材を配置する、というように熱交換器の配置に応じて防音筐体の内壁に吸音材を配置すればよい。また、本実施例では、室外機１００の筐体左右側面と背面が全面に渡り吸込口４０である場合について説明したが、室外機１００の筐体左右側面もしくは背面の一部が吸込口であり、残部がパネルである場合は、当該パネルの位置に対応する防音筐体１の内壁面に吸音材６を配置しなくてもよい。例えば、図２において、室外機１００の筐体左側面が全面に渡り吸込口４０である場合に代わって、熱交換器７の左側熱交部７ａの範囲に対応する部分だけ吸込口とされ、残部がパネルとされている場合は、防音筐体１の内壁左側面１ａに吸音材６を配置しなくてもよい。
【００２０】
以上説明した通り、本発明によれば、圧縮機を防音筐体内に配置しており、防音筐体の四方に隔壁が存在するので、室外機の熱交換器が配置されていない面に対しては防音筐体の隔壁と室外機の隔壁が防音壁として作用するため、室外機のパネルに面する防音筐体内壁に吸音材を配置する必要がなくコストを抑えることができ、且つ室外機内部から室外機外部への騒音の漏れを抑制することができる。
【符号の説明】
【００２１】
１  防音筐体
１ａ  内壁左側面
１ｂ  内壁右側面
１ｃ  内壁背面
１ｄ  前板
２  圧縮機
３  アキュムレータ
４  オイルセパレータ
５  吐出管
６  吸音材
７  熱交換器
７ａ  左側面熱交部
７ｂ  右側面熱交部
７ｃ  背面熱交部
１０  電装品箱
２０  前面パネル
３０  吹出口
４０  吸込口
１００  室外機
１０１  底板
【図１】
2011112323.tif 000003
【図２】
2011112323.tif 000004